(57)【要約】【課題】色あるいは濃度の異なる多種の芯５を芯収納室４Ｂに収納し、押部材１５を回動することにより任意の芯５を選択して一定量ずつ繰り出し筆記を行うことができるノック式シャープペンシル。更に、チャック１１を拡開した状態で後部を下にした時のみ押部材１５が回動して任意の芯５を選択できるノック式シャープペンシルを提供する。【解決手段】ノック式シャープペンシルの後部を下にした時、重り１４が後軸４の内鍔４Ｅと係合して押部材１５の回動を防止する回転ロック機構を設ける。【選択図】        図１
2008213244.tif 000002
【特許請求の範囲】
【請求項１】
芯ホルダーを内蔵した口金と、先端に口金を設けた前軸と、前軸に回動可能に連結された後軸と、前軸内を摺動可能に内蔵されたガイド部材と、ガイド部材に着脱可能に連結された内軸と、ガイド部材の係止段と内軸との間に長手方向に摺動可能に遊嵌された締具と、締具を頭部に外嵌したチャックと、内軸とコネクターの間に張架されチャックを後方に付勢するスプリングと、コネクターに連結された押部材とからなり、後軸に長手方向に伸びた芯収納室を複数形成し、この後軸を前軸に対して回動し、後軸とともに内軸を回動することにより内軸の螺旋溝が前軸の突起に沿って回動し、内軸が前進してガイド部材が口金の内段に当接すると筆記状態となり、重りが後軸の内鍔と係合した回転ロック状態になるとともに、スプリングにより後方に付勢されたチャックの頭部が締具に押圧されて閉じられチャックにより芯を保持し、また、前軸に対して後軸を逆に回動し、内軸の螺旋溝が前軸の突起に沿って逆方向に回動することにより内軸が後退すると、チャックに保持された芯も後退して芯が芯ホルダーから外れるとともにコネクターの段部が後軸の内鍔に当接し、更に内軸が後退されるとチャックが拡開し、この状態で後部を下に向けるとチャック内の芯が押部材の案内通路に導かれて定められた芯収納室に収納されるとともに、重りも自重で後退し、重りが後軸の内鍔から外れて後軸に対して重り及び押部材が回動自在となり、押部材の案内通路を後軸の任意の芯収納室に合致させることができるように構成したことを特徴とするノック式シャープペンシル。
【請求項２】
芯ホルダーを内蔵した前軸と、前軸に回動可能に連結された後軸と、前軸内を摺動可能に内蔵されたガイド部材と、ガイド部材に着脱可能に連結された内軸と、ガイド部材の係止段と内軸との間に長手方向に摺動可能に遊嵌された締具と、締具を頭部に外嵌したチャックと、内軸とコネクターの間に張架されたチャックを後方に付勢するスプリングと、コネクターに連結された押部材とからなり、後軸に長手方向に伸びた芯収納室を複数形成し、この後軸を前軸に対して回動し、後軸とともに内軸を回動することにより内軸の螺旋溝が前軸の突起に沿って回動し、内軸が前進してガイド部材が前軸の内段に当接すると筆記状態となり、重りが後軸の内鍔と係合した回転ロック状態になるとともに、スプリングにより後方に付勢されたチャックの頭部が締具に押圧されて閉じられチャックにより芯を保持し、また、前軸に対して後軸を逆に回動し、内軸の螺旋溝が前軸の突起に沿って逆方向に回動することにより内軸が後退すると、チャックに保持された芯も後退して芯が芯ホルダーから外れるとともにコネクターの段部が後軸の内鍔に当接し、更に内軸が後退されるとチャックが拡開し、この状態で後部を下に向けると、チャック内の芯が押部材の案内通路に導かれて定められた芯収納室に収納されるとともに、重りも自重で後退し、重りが後軸の内鍔から外れて後軸に対して重り及び押部材が回動自在となり、押部材の案内通路を後軸の任意の芯収納室に合致させることができるように構成したことを特徴とするノック式シャープペンシル。
【発明の詳細な説明】
【技術分野】
【０００１】
本発明は、色あるいは濃度の異なる多種の芯を収納し、任意の芯を選択して一定量ずつ繰り出し筆記が行えるノック式シャープペンシルに関するものである。
【背景技術】
【０００２】
近年、大人の塗り絵が大ブームとなり、１２色等の色鉛筆をセットにした塗り絵キットが種々発売された。しかし、色鉛筆を使った塗り絵キットは、少なくとも１０色程度の色鉛筆と鉛筆削り器を携帯しなければならず、非常に携帯しにくいものであった。また、塗り絵中にいちいち色鉛筆を削らなければならず、使用者にとっては非常に使いにくいものであった。
【０００３】
そこで発明者が鋭意検討した結果、ノック式シャープペンシルの軸筒に複数の芯収納室を形成し、この芯収納室内の芯を任意に選択して使用できるノック式シャープペンシルを発明した。
【０００４】
従来、芯タンクの芯収納室が複数個に分割され、筆記中の芯を芯ホルダーより外して芯収納室に収納するとともに、任意の芯収納室から芯を一定量ずつ繰り出して筆記が行えるノック式シャープペンシルが知られている。（特許文献1参照）
【０００５】
しかし、このノック式シャープペンシルは、後部を下にしないでノブを回転してしまうと芯収納室内の芯の一部が選別パイプ内に入ってしまい、芯を破損してしまうものであった。
【特許文献１】実公昭６２−３４７８８号公報
【発明の開示】
【発明が解決しようとする課題】
【０００６】
解決しようとする問題点は、後部を下にした時以外でも押部材が回動してしまう点であり、本発明は、この課題を解消するノック式シャープペンシルを提供することを目的とするものである。
【課題を解決するための手段】
【０００７】
本発明は、芯ホルダーを内蔵した口金と、先端に口金を設けた前軸と、前軸に回動可能に連結された後軸と、前軸内を摺動可能に内蔵されたガイド部材と、ガイド部材に着脱可能に連結された内軸と、ガイド部材の係止段と内軸との間に長手方向に摺動可能に遊嵌された締具と、締具を頭部に外嵌したチャックと、内軸とコネクターの間に張架されチャックを後方に付勢するスプリングと、コネクターに連結された押部材とからなり、後軸に長手方向に伸びた芯収納室を複数形成し、この後軸を前軸に対して回動し、後軸とともに内軸を回動することにより内軸の螺旋溝が前軸の突起に沿って回動し、内軸が前進してガイド部材が口金の内段に当接すると筆記状態となり、重りが後軸の内鍔と係合した回転ロック状態になるとともに、スプリングにより後方に付勢されたチャックの頭部が締具に押圧されて閉じられチャックにより芯を保持し、また、前軸に対して後軸を逆に回動し、内軸の螺旋溝が前軸の突起に沿って逆方向に回動することにより内軸が後退すると、チャックに保持された芯も後退して芯が芯ホルダーから外れるとともにコネクターの段部が後軸の内鍔に当接し、更に内軸が後退されるとチャックが拡開し、この状態で後部を下に向けるとチャック内の芯が押部材の案内通路に導かれて定められた芯収納室に収納されるとともに、重りも自重で後退し、重りが後軸の内鍔から外れて後軸に対して重り及び押部材が回動自在となり、押部材の案内通路を後軸の任意の芯収納室に合致させることができるように構成したことを第１の要旨とする。
【０００８】
また、芯ホルダーを内蔵した前軸と、前軸に回動可能に連結された後軸と、前軸内を摺動可能に内蔵されたガイド部材と、ガイド部材に着脱可能に連結された内軸と、ガイド部材の係止段と内軸との間に長手方向に摺動可能に遊嵌された締具と、締具を頭部に外嵌したチャックと、内軸とコネクターの間に張架されたチャックを後方に付勢するスプリングと、コネクターに連結された押部材とからなり、後軸に長手方向に伸びた芯収納室を複数形成し、この後軸を前軸に対して回動し、後軸とともに内軸を回動することにより内軸の螺旋溝が前軸の突起に沿って回動し、内軸が前進してガイド部材が前軸の内段に当接すると筆記状態となり、重りが後軸の内鍔と係合した回転ロック状態になるとともに、スプリングにより後方に付勢されたチャックの頭部が締具に押圧されて閉じられチャックにより芯を保持し、また、前軸に対して後軸を逆に回動し、内軸の螺旋溝が前軸の突起に沿って逆方向に回動することにより内軸が後退すると、チャックに保持された芯も後退して芯が芯ホルダーから外れるとともにコネクターの段部が後軸の内鍔に当接し、更に内軸が後退されるとチャックが拡開し、この状態で後部を下に向けると、チャック内の芯が押部材の案内通路に導かれて定められた芯収納室に収納されるとともに、重りも自重で後退し、重りが後軸の内鍔から外れて後軸に対して重り及び押部材が回動自在となり、押部材の案内通路を後軸の任意の芯収納室に合致させることができるように構成したことを第２の要旨とする。
【発明の効果】
【０００９】
本発明は、複数の芯収納室に収納された多種の芯を任意に選択し、一定量ずつ繰り出して使用できるので、非常に使い勝手が良く、又、誤って後部を下にしないで後軸を回転しようとしても回転ロック機構が働いて回転を防止するので芯を破損する恐れもないという効果が奏せられるものである。
【発明を実施するための最良の形態】
【００１０】
複数の芯収納室に収納された多種の芯を任意に選択して使用でき、又、後部を下に向けた時以外は回転ロック機構が働いて後軸の回転を防止するノック式シャープペンシルを実現した。
【実施例１】
【００１１】
以下、図１、図２、図３、図４及び図５に基づいて本発明における実施例１のノック式シャープペンシルを説明する。尚、図１の左側を前方とし、右側を後方とする。先ず、図１、図２及び図３において、芯ホルダー１を内蔵した口金２を前軸３の前部に着脱可能に螺合する。この前軸３の内側に突起３Ａを形成し、かつ、前軸３の後部に形成した凹溝３Ｂに後軸４の突条４Ａを係合し、前軸３と後軸４を回動可能に連結する。後軸４の内側には長手方向に伸びた溝状の芯収納室４Ｂを１２個円周方向に等間隔に形成する。この芯収納室４Ｂの後端には開口部４Ｃが形成され、この開口部４Ｃから芯５が挿入される。通常は、後軸４の後部に頭冠６が着脱可能に嵌合され、前記開口部４Ｃは閉じられている。又、頭冠６には、それぞれの芯収納室４Ｂ内に挿入された受部６Ａが形成される。更に、頭冠６にはクリップ７が一体に形成される。又、前記後軸４の前部内面に長手方向に伸びたキー４Ｄを形成し、キー４Ｄの後方に内鍔４Ｅを形成する。この内鍔４Ｅの内孔断面形状は円形の一部に互いに対向する直線部４Ｆが２個形成されている。
【００１２】
更に、内軸８の外面に螺旋溝８Ａを形成するとともに、螺旋溝８Ａを横切って長手方向に伸びた直線状のキー溝８Ｂを形成する。このキー溝８Ｂの幅は前軸３の突起３Ａの幅より小さく構成する。内軸８は前記前軸３及び後軸４内に内蔵され、しかも内軸８のキー溝８Ｂに後軸４のキー４Ｄが係合され、内軸８は後軸４に対して長手方向に摺動可能でかつ回動不能に構成される。また、内軸８の螺旋溝８Ａに前軸３の突起３Ａが係合される。内軸８の前部にはガイド部材９が着脱可能に螺合され、内軸８の前端とガイド部材９の係止段９Ａとの間に締具１０が遊嵌されている。
【００１３】
前部が数分割されて拡開可能なチャック１１の後部にコネクター１２が連結され、内軸８の内段とコネクター１２の前端との間にスプリング１３が張架されている。このスプリング１３によりチャック１１が後方に付勢され、通常チャック１１の頭部１１Ａが締具１０に押圧されて閉じられ、チャック１１により芯５が強く保持される。
【００１４】
コネクター１２の後部１２Ａは、外形断面が正八角形に形成され、この後部１２Ａに断面内孔が正八角形に形成された重り１４が長手方向には摺動可能で回動不能に嵌合される。この重り１４の断面外形は正十二角形に形成され、この正十二角形の対向する２つの面が前記後軸４の内鍔４Ｅに形成された対向する直線部に係合し回転ロック状態となり、重り１４が内鍔４Ｅ内に位置した状態では、内鍔４Ｅに対して重り１４が長手方向には摺動可能であるが回動不能に構成される。
【００１５】
更に、コネクター１２の後部１２Ａには押部材１５が連結され、この押部材１５に傾斜した案内通路１５Ａが形成される。この案内通路１５Ａにより、後軸４の芯収納室４Ｂの任意の一つとコネクター１２の内孔が連結されるとともに、その他の芯収納室４Ｂは押部材１５の外周面により閉じられている。また、前記重り１４はコネクター１２の段部１２Ｂと押部材１５の間に位置しているので、図１の筆記状態では、ノック式シャープペンシルの後部を下に向けても、押部材１５が前進した位置にいるので、重り１４は内鍔４Ｅから外れてしまう心配はない。
【００１６】
前記押部材１５の後部は頭冠６の後端より後方に突出し、この後部内穴に消しゴム１６が取り付けられる。更に、押部材１５の後部には、消しゴム１６を覆うノブ１７が着脱可能に嵌合されている。
【００１７】
この図１に示した筆記状態で塗り絵を行い、芯５が消耗した場合には、ノブ１７をノックすることにより通常のノック式シャープペンシルと同様に一定量ずつ芯５が繰り出せる。そして、使用中の芯５と異なる色の芯５を使用する場合には、前軸３を左手で保持し、右手で後軸４を保持して後軸４を左方向に回転させる。すると、後軸４とともに内軸８が回転され、前軸３の突起３Ａに沿って螺旋溝８Ａが移動し、内軸８が後退させられる。従って、内軸８とともに芯５を保持しているチャック１１も後退させられ、チャック１１とともに芯５が後退する。そして、芯５が芯ホルダー１から外れた後にコネクター１２の段部１２Ｂが後軸４の内鍔４Ｅに当接し、コネクター１２及びチャック１１が停止する。更に後軸４を左方向に回転させると、内軸８及びガイド部材９は更に後退し、チャック１１の頭部１１Ａから締具１０が外れてチャック１１が拡開する。そして、内軸８の後端が内鍔４Ｅに当接すると内軸８が停止し後軸４の左回転が止められる。
【００１８】
この状態で、ノック式シャープペンシルの後部を下に向けると、重り１４が後軸４の内鍔４Ｅから外れて回転ロックが解除され図４に示した状態となる。又、使用していた芯５は芯ホルダー１から外れているとともにチャック１１が拡開しているので後方に落下し元の芯収納室４Ｂに収納される。この時、芯収納室４Ｂ内の芯５は頭冠６の受部６Ａにより起立され、内側に倒れる恐れはない。次に、後部を下にした状態で押部材１５を回して押部材１５の表示マーク１５Ｂを頭冠６に設けられた希望する芯５の表示６Ｂに合わせれば、希望する芯収納室４Ｂに押部材１５の案内通路１５Ａが合わされる。この状態で前部を下に向けると、表示マーク１５Ｂに合わされた芯５が案内通路１５Ａを通ってチャック１１内に挿入され、芯５の先端が芯ホルダー１に当接されて図５に示した状態になる。又、比較的芯５が短くなった状態でも、芯５はガイド部材９によってガイドされるので確実に芯ホルダー１に導かれる。尚、誤って後部を下にしないで押部材１５を回してしまった場合には、重り１４が後軸４の内鍔４Ｅ内に位置して回転ロックが解除されないので押部材１５の回動は防止される。
【００１９】
次に、後軸４を右方向に回転させると、前軸３の突起３Ａに沿って螺旋溝８Ａが移動し、内軸８が前進させられる。適宜内軸８が前進するとコネクター１２の段部１２Ｂが後軸４の内鍔４Ｅから離間しチャック１１が閉じられて芯５を保持する。更に、後軸４を右方向に回転させると、ガイド部材９、内軸８及びチャック１１等の機構部は芯５を保持した状態で前進し芯５を芯ホルダー１内に挿入する。
【００２０】
そして、ガイド部材９が口金２の内段２Ａに当接すると、ガイド部材９、内軸８及びチャック１１等の機構部が前進を停止し、後軸４の右回転が止められて図１の状態に復帰する。また、口金２の先端より一定量芯５が突出させられる。以上の操作を繰り返すことにより、１本のノック式シャープペンシルで１２色の芯５を使って塗り絵を行うことができる。
【実施例２】
【００２１】
図６に基づいて本発明における実施例２のノック式シャープペンシルを説明する。尚、図１と同一の部材は同一の符号を付してその説明は省略する。先ず、図６において、芯ホルダー１を内蔵した前軸１０３の内側に突起１０３Ａを形成し、かつ、前軸１０３の後部に形成した凹溝１０３Ｂに後軸４の突条４Ａを係合し、前軸１０３と後軸４を回動可能にかつ着脱可能に連結する。
【００２２】
更に、内軸８の外面に螺旋溝８Ａを形成するとともに、螺旋溝８Ａを横切って長手方向に伸びた直線状のキー溝８Ｂを形成する。このキー溝８Ｂの幅は前軸１０３の突起１０３Ａの幅より小さく構成する。内軸８は前記前軸１０３及び後軸４内に内蔵され、しかも内軸８のキー溝８Ｂに後軸４のキー４Ｄが係合され、内軸８は後軸４に対して長手方向に摺動可能でかつ回動不能に構成される。また、内軸８の螺旋溝８Ａに前軸１０３の突起１０３Ａが螺旋溝８Ａの前方の端から挿入されて係合される。内軸８の前部にはガイド部材９が着脱可能に螺合され、ガイド部材９の最大径は前軸１０３の突起１０３Ａの内接円より細径に構成される。このガイド部材９の係止段９Ａと内軸８の前端との間に締具１０が遊嵌されている。
【実施例３】
【００２３】
重りと後軸の内鍔の回転ロック機構は、上記実施例１に限定されるものではなく、種々の機構が考えられるが、例えば図７に示したように後軸１０４の内鍔１０４Ｅに形成した内孔断面形状を正四角形に形成し、この内鍔１０４Ｅの内孔に重り１４の正十二角形の９０度間隔の４つの面を係合させて回転ロック状態にしても良い。
【実施例４】
【００２４】
更に、重りと後軸の内鍔の回転ロック機構は、図８に示したように後軸２０４の内鍔２０４Ｅ内面に円周方向等間隔に１２個の凹溝２０４Ｇを形成するとともに、重り１１４の外周面に円周方向等間隔に４個のリブ１１４Ａを長手方向に伸ばして形成し、このリブ１１４Ａを凹溝２０４Ｇに係合させて回転ロック状態にしても良い。
【００２５】
更に、後軸を透明樹脂で構成すれば、芯収納室内の芯の消耗量が目視で確認できるので、次の芯の準備をしておくときに便利である。そして、芯収納室内の芯がなくなった場合には、後軸から頭冠を外し新しい芯を芯収納室に挿入する。
【産業上の利用可能性】
【００２６】
１本のノック式シャープペンシルで多種の芯を使った塗り絵が簡単な操作でしかも確実に行うことができる。しかも携帯に便利でいろんな場所に持ち歩いて使用できる。
【図面の簡単な説明】
【００２７】
【図１】本発明の実施例１のノック式シャープペンシルを示す断面図である。（実施例１）
【図２】図１のＡ-Ａ線を示す拡大断面図である。（実施例１）
【図３】図１のＢ−Ｂ線を示す拡大断面図である。（実施例1）
【図４】実施例１において、使用していた芯を芯収納室に戻した状態を示す断面図である。（実施例１）
【図５】実施例１において、新しい芯をチャック内に落下させた状態を示す断面図である。（実施例１）
【図６】本発明の実施例２のノック式シャープペンシルを示す断面図である。（実施例２）
【図７】実施例３の重りと後軸の回転ロック機構を示す断面図である。（実施例３）
【図８】実施例４の重りと後軸の回転ロック機構を示す断面図である。（実施例４）
【符号の説明】
【００２８】
１  芯ホルダー
２  口金
２Ａ  口金２の内段
３  前軸
３Ａ  前軸３の突起
４  後軸
４Ｂ  後軸４の芯収納室
４Ｅ  後軸４の内鍔
５  芯
８  内軸
８Ａ  内軸８の螺旋溝
９  ガイド部材
９Ａ  ガイド部材９の係止段
１０  締具
１１  チャック
１１Ａ  チャック１１の頭部
１２  コネクター
１２Ｂ  コネクター１２の段部
１３  スプリング
１４  重り
１５  押部材
１５Ａ  押部材１５の案内通路
１０３  前軸
１０３Ａ  前軸１０３の突起
１０４  後軸
１０４Ｅ  後軸１０４の内鍔
１１４  重り
２０４  後軸
２０４Ｅ  後軸２０４の内鍔
【図１】
2008213244.tif 000003
【図２】
2008213244.tif 000004
【図３】
2008213244.tif 000005
【図４】
2008213244.tif 000006
【図５】
2008213244.tif 000007
【図６】
2008213244.tif 000008
【図７】
2008213244.tif 000009
【図８】
2008213244.tif 000010